(57)【要約】【課題】過度な強度を必要としない取付部材、表示装置及びテレビジョン受信機を提供すること。【解決手段】取付部材は、表示装置の背面に固定される固定部材と、該固定部材の前記背面との固定面の交差方向に突出する第１固定具と、長尺状をなし、長手方向に伸縮可能な本体部及び該本体部の両端にスピーカを取り付ける取付部を有する腕部材と、前記固定部材と対向し、前記腕部材に結合された中間部材と、該中間部材より前記固定部材との対向面の交差方向に突出し、前記第１固定具に載置される第２固定具とを備える。【選択図】図１
2017028702.tif 000002
【特許請求の範囲】
【請求項１】
表示装置の背面に固定される固定部材と、
該固定部材の前記背面との固定面の交差方向に突出する第１固定具と、
長尺状をなし、長手方向に伸縮可能な本体部及び該本体部の両端にスピーカを取り付ける取付部を有する腕部材と、
前記固定部材と対向し、前記腕部材に結合された中間部材と、
該中間部材より前記固定部材との対向面の交差方向に突出し、前記第１固定具に載置される第２固定具と
を備えることを特徴とする取付部材。
【請求項２】
前記第１固定具及び前記第２固定具は、それぞれの突出方向に複数の三角状の凹凸を並設している
ことを特徴とする請求項１に記載の取付部材。
【請求項３】
前記第１固定具は断面横Ｕ字状又は断面矩形状をなし、上部外面を前記第２固定具の載置面としてあり、
前記第２固定具は断面横Ｕ字状又は断面矩形状をなし、上部内面を前記第１固定具の被載置面としてある
ことを特徴とする請求項１又は請求項２に記載の取付部材。
【請求項４】
前記第１固定具は、上部から下方向に延在する一組の側部に、互いに離隔する方向に突出する係合部を有し、
前記第２固定具は、上部から下方向に延在する一組の側部に、それぞれ鈎状の被係合部を有し、
前記第２固定具が前記第１固定具と離隔する方向に移動し、前記被載置面が前記載置面より遊離した場合に、前記被係合部は前記係合部に係合する
ことを特徴とする請求項３に記載の取付部材。
【請求項５】
前記腕部材を１本備える
ことを特徴とする請求項１から請求項４のいずれか一項に記載の取付部材。
【請求項６】
映像を表示する表示部と、
該表示部を収容する筐体と、
請求項１から請求項５のいずれか一項に記載の取付部材により、前記筐体に取り付けられるスピーカと
を備えることを特徴とする表示装置。
【請求項７】
映像を表示する表示装置と、
請求項１から請求項５のいずれか一項に記載の取付部材により、前記表示装置に取付けられたスピーカと、
テレビジョン放送を受信する受信部と
を備え、
前記受信部にて受信したテレビジョン放送に基づいて、前記表示装置に映像を表示するようにしてあること
を特徴とするテレビジョン受信機。
【請求項８】
前記固定部材は複数の副固定部材を有し、
前記副固定部材それぞれには、前記表示装置の背面に固定されるスペーサが貫通する貫通孔が設けられ、
前記貫通孔は、前記表示装置によって異なる間隔で固定される複数のスペーサに対応して、複数設けてあること
を特徴とする請求項１に記載の取付部材。
【請求項９】
前記取付部は、前記スピーカの前後方向へ摺動可能に、前記腕部材に保持されること
を特徴とする請求項１又は請求項８に記載の取付部材。
【発明の詳細な説明】
【技術分野】
【０００１】
本発明は、表示装置にスピーカを取り付けるための取付部材、表示装置及びテレビジョン受信機に関する。
【背景技術】
【０００２】
近年、表示装置の大画面化、狭額縁化、薄型化が進められている。そのために音声スピーカのユニットやスピーカボックスを収容するための十分なスペースが、表示装置内部で確保できなくなっている。
【０００３】
このような状況に対して、表示装置と組み合わせて使用する外付けスピーカが提案されている。しかしながら、表示装置を設置する設置台の横幅は、設置スペースの問題やデザイン上の要求から、表示装置の横幅と同等又はそれ以下の場合が多くなっている。そのため、外付けスピーカを設置するスペースを確保するのが困難となっている。
【０００４】
さらにまた、表示装置の脚形状・位置も各社・各モデルで様々であり、表示装置の脚元にスピーカを設置する場合の障害要因となっている。
【０００５】
以上のような背景から、表示装置の裏面に敷設されている１又は複数の取付板と、取付板の長手方向に沿った第一の方向の所定位置で取り付け板と交差するように連結される連結部材と、第一の方向と直交する第二の方向に沿って移動可能なように連結部材に連結される可動部材と、可動部材に取り付けられ、スピーカを取り付け可能なスピーカ取付パネルとを備える取付部材が提案されている（特許文献１）。
【先行技術文献】
【特許文献】
【０００６】
【特許文献１】特許第４７８４６７２号公報
【発明の概要】
【発明が解決しようとする課題】
【０００７】
しかしながら、特許文献１に示すような従来の取付部材は、表示装置に固定した取付板と、スピーカを取り付けたスピーカ取付パネルなどの各部材をネジ等で強固に固定する。そのため、表示装置を移動する際に、スピーカのみが持たれると、表示装置の重量がすべて取付部材に掛かることになる。そのような場合でも、取付部材は破損しないような過度な強度を、持たなければならない。そのため、取付部材は、全体重量が重くなり、材料コストの増大につながる。
【０００８】
本発明は、このような事情に鑑みてなされたものであり、必要な強度を確保しつつ、軽量な取付部材、表示装置及びテレビジョン受信機を提供することを目的とする。
【課題を解決するための手段】
【０００９】
本発明に係る取付部材は、表示装置の背面に固定される固定部材と、該固定部材の前記背面との固定面の交差方向に突出する第１固定具と、長尺状をなし、長手方向に伸縮可能な本体部及び該本体部の両端にスピーカを取り付ける取付部を有する腕部材と、前記固定部材と対向し、前記腕部材に結合された中間部材と、該中間部材より前記固定部材との対向面の交差方向に突出し、前記第１固定具に載置される第２固定具とを備えることを特徴とする。
【００１０】
本発明に係る取付部材は、前記第１固定具及び前記第２固定具は、それぞれの突出方向に複数の三角状の凹凸を並設していることを特徴とする。
【００１１】
本発明に係る取付部材は、前記第１固定具は断面横Ｕ字状又は断面矩形状をなし、上部外面を前記第２固定具の載置面としてあり、前記第２固定具は断面横Ｕ字状又は断面矩形状をなし、上部内面を前記第１固定具の被載置面としてあることを特徴とする。
【００１２】
本発明に係る取付部材は、前記第１固定具は、上部から下方向に延在する一組の側部に、互いに離隔する方向に突出する係合部を有し、前記第２固定具は、上部から下方向に延在する一組の側部に、それぞれ鈎状の被係合部を有し、前記第２固定具が前記第１固定具と離隔する方向に移動し、前記被載置面が前記載置面より遊離した場合に、前記被係合部は前記係合部に係合することを特徴とする。
【００１３】
本発明に係る取付部材は、前記腕部材を１本備えることを特徴とする。
【００１４】
本発明に係る表示装置は、映像を表示する表示部と、該表示部を収容する筐体と、上述のいずれかに記載の取付部材により、前記筐体に取り付けられるスピーカとを備えることを特徴とする。
【００１５】
本発明に係るテレビジョン受信機は、映像を表示する表示装置と、上述のいずれかに記載の取付部材により、前記表示装置に取付けられたスピーカと、テレビジョン放送を受信する受信部とを備え、前記受信部にて受信したテレビジョン放送に基づいて、前記表示装置に映像を表示するようにしてあることを特徴とする。
【００１６】
本発明に係る取付部材は、前記固定部材は複数の副固定部材を有し、前記副固定部材それぞれには、前記表示装置の背面に固定されるスペーサが貫通する貫通孔が設けられ、前記貫通孔は、前記表示装置によって異なる間隔で固定される複数のスペーサに対応して、複数設けてあることを特徴とする。
【００１７】
本発明に係る取付部材は、前記取付部は、前記スピーカの前後方向へ摺動可能に、前記腕部材に保持されることを特徴とする。
【発明の効果】
【００１８】
本発明にあっては、取付部材を必要な強度を確保しつつ、軽量化することが可能となる。
【図面の簡単な説明】
【００１９】
【図１】取付部材の構成例を示す背面斜視図である。
【図２】取付部材の部分拡大斜視図である。
【図３】固定部の部分拡大斜視図である。
【図４】取付部材によるスピーカの取り付けの様子を示す説明図である。
【図５】スピーカが取付けられた表示装置の後面斜視図である。
【図６】スピーカが取付けられた表示装置の前面斜視図である。
【図７】凹凸板を載置部の上面部に固定する方法を示す説明図である。
【図８】凹凸板の噛み合いの様子を示す側面図である。
【図９】被載置部の部分拡大斜視図である。
【図１０】載置部の部分拡大斜視図である。
【図１１】落下防止構造を示す説明図である。
【図１２】取付部材の他の構成例を示す背面斜視図である。
【図１３】スピーカが取付けられた表示装置の後面斜視図である。
【図１４】取付部材の構成例を示す斜視図である。
【図１５】固定部の斜視図である。
【図１６】第１固定部の部分拡大図である。
【図１７】アーム部の部分斜視図である。
【図１８】被載置部の分解斜視図である。
【図１９】被載置部が載置部に載置された状態を示す部分拡大斜視図である。
【図２０】スピーカが取付けられた表示装置の後面斜視図である。
【図２１】スピーカの位置調整機構を示す説明図である。
【発明を実施するための形態】
【００２０】
実施形態１
以下、実施形態を、図面を用いて具体的に説明する。以下の説明では、図において矢符で示す上下、前後、及び左右を使用する。なお、後面を背面と記載する場合もある。図１は取付部材の構成例を示す背面斜視図である。図２は取付部材の部分拡大斜視図である。取付部材はアーム部（腕部材）１０及び２つの固定部（固定部材）２０、２０を含む。アーム部１０は、本体１１、２つの伸縮アーム１２、１２、２つの取付アーム（取付部）１３、１３、２つの補助部（中間部材）１４、１４を含む。図２に示すように、本体１１は前側が開口した断面横Ｕ字で棒状をなしている。各伸縮アーム１２は、前側が開口した断面横Ｕ字で棒状をなしている。本体１１、各伸縮アーム１２のそれぞれは、外形寸法が当該順番に小さくしてあり、各伸縮アーム１２の長手方向の一部は本体１１の内部に収容されている。本体１１に対して、伸縮アーム１２は、本体１１の長手方向にスライド可能になっている。伸縮アーム１２をスライドさせ、本体１１から引き出される長さを調節することにより、アーム部１０全体の長さを調節可能である。それにより、アーム部１０の長さを取り付け対象となる表示装置４０の横幅に合わせて調節可能となる。ここで、本体１１及び伸縮アーム１２が本体部に相当する。
【００２１】
本体１１には、上面部の前端から下方に、下面部からの前端から上方に延びる規制部１１２が設けられており、それにより、各伸縮アーム１２が本体１１から前方に外れることを規制している。伸縮アーム１２を本体１１に対してスライドすることにより、アーム部１０全体の長さが調節可能である。本体１１と各伸縮アーム１２とは、本体１１の一面に設けられたねじ孔に取付けられるねじにより固定される。ねじの先端が、各伸縮アーム１２の外面を本体１１の内面に押し付けることにより、面同士が接触し摩擦により固定される。
【００２２】
各伸縮アーム１２の一端には前方に湾曲した取付アーム１３が取付けられている。取付アーム１３の前端には、スピーカ３０が取付けられる。取付アーム１３は伸縮アーム１２に対して、スライドして伸縮可能としてある。
【００２３】
各補助部１４は、上下方向を長手方向とするベース部１４１と、ベース部１４１の長手方向の両端部それぞれから前方に突出する２つの被載置部（第２固定具）１４２を含む。被載置部１４２は下側が開口する断面逆Ｕ字状をなしている。ベース部１４１には、２つのねじ孔１４１ａが上下に設けてある。図２に示すように、本体１１の長手方向、規制部１１２の間には、横長の取付板部１１１が設けられている。取付板部１１１は、上面部の前端から上方に、下面部からの前端から下方に延びている。それぞれの取付板部１１１には左右方向に所定の間隔で複数の貫通孔１１１ａが設けてある。上下に並ぶ貫通孔１１１ａの間隔は、ベース部１４１の２つのねじ孔１４１ａの間隔と略同一としてある。
【００２４】
補助部１４の本体１１への取付けは次のように行う。取付板部１１１に設けてある貫通孔１１１ａより、適合したものを選択する。ベース部１４１のねじ孔１４１ａの位置が選択した貫通孔１１１ａと合うように、補助部１４を配置する。貫通孔１１１ａに通したねじをねじ孔１４１ａに螺合させる。なお、貫通孔１１１ａの選択は、固定部２０の間隔に合うように選択する。
【００２５】
各固定部２０は、支柱部２１、載置部（第１固定具）２２を含む。支柱部２１は上下方向を長手方向とする部材である。支柱部２１の断面は後側が開口したＵ字状をなしている。支柱部２１には、上下の端部に貫通孔２１１が２つずつ設けてある。また、支柱部２１には、複数の矩形孔２１２が設けてある。載置部２２の断面は下側が開口した逆Ｕ字状をなしている。載置部２２は支柱部２１から後側に突出するように固定されている。
【００２６】
次に、載置部２２について詳細に説明する。図３は固定部２０の部分拡大斜視図である。載置部２２は断面逆Ｕ字状をなしている。上面部２２１、右側面部２２２、左側面部２２３により、逆Ｕ字が形成されている。上面部２２１には樹脂で形成した凹凸板２２４が固定されている。上面部２２１の前側端部には、下向きの爪部２２１ａが形成してある。右側面部２２２の前より下部には貫通孔２２２ａが設けてある。左側面部２２３の前より下部にはねじ孔２２３ａが設けてある。貫通孔２２２ａ、ねじ孔２２３ａは前後、上下方向の位置を合わせて設けてある。
【００２７】
載置部２２の支柱部２１への取付けは、次のように行う。支柱部２１の左右側面部間に載置部２２を挿入し、上面部２２１の前側にある爪部２２１ａを支柱部２１の矩形孔２１２に差し込む。この状態で、載置部２２の右側面部２２２及び左側面部２２３の前面は支柱部２１の後面に接触する。よって、載置部２２は支柱部２１に仮固定される。次に支柱部２１の側面に設けてある貫通孔２１３及び載置部２２の右側面部２２２に設けてある貫通孔２２２ａにねじを通す。通したねじを載置部２２の左側面部２２３に設けてあるねじ孔２２３ａに螺合させることにより、載置部２２を支柱部２１に固定する。
【００２８】
次に、取付部材による表示装置４０へのスピーカ３０の取り付け方法について説明する。図４は取付部材によるスピーカ３０の取り付けの様子を示す説明図である。まず、２つの固定部２０の支柱部２１を表示装置４０の後面に固定する。表示装置４０の後面には、壁掛け用金具などを取り付けるためのねじ孔がＶＥＳＡ（Ｖｉｄｅｏ  Ｅｌｅｃｔｒｏｎｉｃｓ  Ｓｔａｎｄａｒｄｓ  Ａｓｓｏｃｉａｔｉｏｎ）規格に従って設けられている。支柱部２１に設けられた貫通孔２１１のうち、取り付け対象となる表示装置４０の後面に設けてあるねじ孔に適合するものを選び、選んだ貫通孔２１１にねじを通す。通したねじを表示装置４０の後面のねじ孔に螺合することにより、支柱部２１を表示装置４０に固定する。続いて、前述したように、支柱部２１に載置部２２を取り付ける。
【００２９】
前述したように、２つの支柱部２１の左右方向の間隔に合うように、２つの補助部１４を本体１１に固定する。各取付アーム１３それぞれにスピーカ３０を結合する。補助部１４の被載置部１４２をそれぞれ対応する固定部２０の載置部２２のそれぞれに載置する。
【００３０】
図５はスピーカ３０が取付けられた表示装置４０の後面斜視図である。図６はスピーカ３０が取付けられた表示装置４０の前面斜視図である。図５に示すように、固定部２０の載置部２２にアーム部１０の被載置部１４２が載置されることにより、アーム部１０は自重により固定部２０に固定される。図６に示すように、前面からはアーム部１０はほとんど視認できないので、取付部材を用いることによるデザイン性は低下していない。
【００３１】
図７は凹凸板２２４を載置部２２の上面部２２１に固定する方法を示す説明図である。凹凸板２２４の上面には三角状の凹凸が、前後方向に複数並設してある。凹凸板２２４の下面後部には前方へ延びる爪部２２４ｂが形成してある。爪部２２４ｂの直前には円柱状の突起部２２４ｃが形成してある。突起部２２４ｃの後側には左右方向に切り込みがあり、それに連なり突起部２２４ｃの左右には、前方向に切り込みが設けられている。それにより、一端が固定された矩形状の板バネが形成されている。当該板バネの先端部に突起部２２４ｃは位置している。突起部２２４ｃの更に前方に同様に円柱状の突起部２２４ｄが形成してある。さらに前方には、前方へ延びる爪部２２４ｅが設けてある。
【００３２】
上面部２２１の後端部には、矩形孔２２１ｂが形成してある。矩形孔２２１ｂの直前には丸孔２２１ｃが貫通形成してある。丸孔２２１ｃの更に前方に前後方向に長い長孔２２１ｄが貫通形成してある。長孔２２１ｄのさらに前側には、矩形孔２２１ｅが貫通形成してある。
【００３３】
凹凸板２２４の取付けは次のように行う。爪部２２４ｂ、突起部２２４ｄ、爪部２２４ｅをそれぞれ対応する上面部２２１の矩形孔２２１ｂ、長孔２２１ｄ、矩形孔２２１ｅに挿入する。この状態で突起部２２４ｃは上面部２２１の表面に当接し、突起部２２４ｃが形成されている板バネは上方に反っている状態になっている。そして、凹凸板２２４を前方にずらすと、爪部２２４ｂが矩形孔２２１ｂの前側の壁に当たり、上面部２２１に嵌る。同様に爪部２２４ｅも上面部２２１に嵌る。突起部２２４ｃが丸孔２２１ｃに嵌る。
【００３４】
また、図２に示すように、凹凸板２２４と同様な凹凸板１４２１が、補助部１４の被載置部１４２の下面にも取付けられている。載置部２２の凹凸板２２４と被載置部１４２の凹凸板１４２１とが噛み合うことにより、載置部２２に被載置部１４２が固定される。図８は凹凸板１４２１、２２４の噛み合いの様子を示す側面図である。図８の紙面左右方向が前後方向である。図８Ａに示すように、載置部２２に被載置部１４２が載置されると、凹凸板１４２１、２２４の双方に設けられた鋸歯状の凹凸部が噛み合い、互いに前後方向の動きが規制される。スピーカ３０の前後方向の位置を調整したい場合、スピーカ３０、本体１１、伸縮アーム１２、取付アーム１３などを押すことにより、位置の調整が行える。スピーカ３０の位置を後ろに移動するとする。まず、図８Ａの状態から被載置部１４２が後ろに移動する。このとき、被載置部１４２の凹凸板１４２１と載置部２２の凹凸板２２４は、図８Ｂ示すように、三角状の凸部の略先端同士が接触するようになり、凹凸部の噛み合いが解除される。さらに、被載置部１４２が後ろに移動すると、図８Ｃに示すように、凹凸板１４２１と凹凸板２２４との双方が再び噛み合う。以上の操作を行うことにより、スピーカ３０の前後方向の位置調整が可能である。
【００３５】
以上のように、実施形態１に係る取付部材では、表示装置４０に固定されている載置部２２に、アーム部１０が有する被載置部１４２が載置されることにより、スピーカ３０の表示装置４０への取付けが完了する。したがって、表示装置４０を動かそうとする時など、スピーカ３０を持って、表示装置４０を持ち上げようとしても、固定部２０からアーム部１０が外れる。このように、アーム部１０が表示装置４０の重量を支えることはないので、アーム部１０を含む取付部材を、軽量化することが可能となる。
【００３６】
取付部材は、アーム部１０を４組の被載置部１４２、載置部２２により固定するので、スピーカ３０がアーム部１０を軸として前後方向に回転してしまうことを防ぐことが可能となる。
【００３７】
被載置部１４２の凹凸板１４２１と載置部２２の凹凸板２２４とに設けられた凹凸部同士が噛み合う構造としてある。それにより、凹凸部がない場合に比べて、被載置部１４２と載置部２２との接触面積が大きくなるので、双方の位置ずれを防ぐことが可能となる。
【００３８】
被載置部１４２は、載置部２２に載置されているだけなので、スピーカ３０が表示装置４０に取付けられた状態で、スピーカ３０の前後方向の位置調整を行うことが可能である。
【００３９】
被載置部１４２の凹凸板１４２１と載置部２２の凹凸板２２４とに設けられた凹凸部同士が噛み合う構造としてあるので、位置調整の際は、載置部２２の凹凸板２２４の凹凸部を被載置部１４２の凹凸板１４２１の凹凸部を乗り越えていくように動く。それにより、位置調整を行うユーザにクリック感を与える。このクリック感の回数により、移動した量をユーザは把握することが可能である。それにより、左右に設けられた被載置部１４２及び載置部２２の一方の前後方向の位置を変えてから、他方の前後方向の位置を変える場合であっても、同じ量を容易に移動することが可能となる。
【００４０】
支柱部２１には表示装置４０に固定するためのねじを通す貫通孔２１１を複数設けてあるので、複数の大きさの表示装置４０に固定可能となっている。
【００４１】
支柱部２１において、載置部２２の取付箇所を複数設けてあるので、スピーカ３０の上下方向の位置を、表示装置４０の高さに応じて、調節することが可能である。
【００４２】
アーム部１０は左右方向に伸縮可能としてあるので、表示装置４０の横幅に合わせて長さを調節することが可能である。さらに、本体１１を、長さが異なるものに換えることにより、より幅広な又は幅狭な表示装置４０に対応可能となる。
【００４３】
被載置部１４２及び載置部２２は断面逆Ｕ字状としてあるので、被載置部１４２が載置部２２に載置されている状態では、双方の左右方向にある側板同士が接触するため、左右方向のガタツキを抑制することが可能となる。
【００４４】
スピーカ３０は、表示装置４０の左右に配置されるので、表示装置４０の画面中央に音像を定位することが可能となる。
【００４５】
実施形態２
実施形態２は、スピーカ３０の前後方向の位置調整を行っている際に、スピーカ３０を落下させしまうことを防ぐ構成に関する。実施形態２は落下を防ぐ構成以外については、実施形態１と同様であるので、以下の説明においては、実施形態１と異なる点を主として説明する。
【００４６】
図９は被載置部１４２の部分拡大斜視図である。被載置部１４２の右側面部１４２３には、下側に伸び、後側が開放されたフック（被係合部）１４２５が設けてある。同様に左側面部１４２４にも同様にフック１４２６が設けてある。
【００４７】
図１０は載置部２２の部分拡大斜視図である。載置部２２の右側面部２２２の後端部には、右側面部２２２に交差する方向、すなわち、左右方向外側に伸びる板状の鍔部（係合部）２２２１が設けてある。同様に、載置部２２の左側面部２２３にも、鍔部２２３１が設けてある。
【００４８】
図１１は落下防止構造を示す説明図である。スピーカ３０の前後方向の位置調整を行っている際に、スピーカ３０を極端に後ろに設置しようとすると、被載置部１４２が有する凹凸板１４２１と載置部２２が有する凹凸板２２４との噛み合いが外れ、被載置部１４２が脱落するおそれがある。しかし、図１１に示すように、被載置部１４２が有するフック１４２５が、載置部２２が有する鍔部２２３１に引っかかる。図１１で図示しない、被載置部１４２が有するフック１４２６も、載置部２２が有する鍔部２２２１に引っかかる。それにより、被載置部１４２が載置部２２からの脱落を防ぐことが可能となる。
【００４９】
以上のように、実施形態２では、被載置部１４２が有する凹凸板１４２１と載置部２２が有する凹凸板２２４との噛み合いが外れた場合は、被載置部１４２が有するフック１４２５、１４２６は、それぞれ載置部２２が有する鍔部２２３１、２２２１に引っかかる。それにより、ユーザがスピーカ３０を極端に後に設置しようとして、被載置部１４２が有する凹凸板１４２１と載置部２２が有する凹凸板２２４との噛み合いが外れたとしても、スピーカ３０の落下を防ぐことが可能となる。
【００５０】
実施形態３
実施形態３はアーム部１０を２本備える形態に関する。それ以外については、実施形態１又は実施形態２と同様であるので、以下の説明においては、異なる点を主として説明する。
【００５１】
図１２は取付部材の他の構成例を示す背面斜視図である。実施形態２においては、２本のアーム部１０を上下方向に所定間隔をおいて配置した構成としてある。各アーム部１０には、左右方向に所定間隔で２つの補助部１４が取付けてある。各スピーカ３０は、アーム部１０が上下に２本固定可能となっている。各アーム部１０の構成、２つの補助部１４の構成は、実施形態１又は実施形態２と同様であるから説明を省略する。また、表示装置４０に固定する固定部２０も実施形態１又は実施形態２と同様であるから説明を省略する。
【００５２】
図１３はスピーカ３０が取付けられた表示装置４０の後面斜視図である。図１３に示すように、実施形態１又は実施形態２と同様に、アーム部１０が固定部２０に載置されることにより、スピーカ３０を表示装置４０に取り付けることが可能となる。
【００５３】
以上のように、実施形態３においては、アーム部１０を２本としたため、スピーカ３０がアーム部１０を回転軸として、前後方向に回転しまうことをより確実に防ぐことが可能となる。
【００５４】
なお、表示装置４０は、テレビジョン放送を受信する受信部を備え、受信部にて受信したテレビジョン放送に基づいて、映像を表示するテレビジョン受信機であっても良い。
【００５５】
実施形態４
本実施の形態は、固定部（固定部材）２０の構成が異なる。図１４は取付部材の構成例を示す斜視図である。取付部材は、アーム部１０、第１固定部（副固定部材）２０ａ、第２固定部（副固定部材）２０ｂを含む。第１固定部２０ａ、第２固定部２０ｂにより、一組の固定部として機能を果たす。アーム部１０は、本体１１、２つの伸縮アーム１２、１２、２つの取付部１３、１３、２つの補助部（中間部材）１４、１４を含む。本体１１及び伸縮アーム１２を含む。伸縮アーム１２の一端には、取付部１３が固定されている。表示装置４０の後面には、４本のオスメススペーサＳＰが固定されている。オスメススペーサＳＰは、六角形状のスペーサである。オスメススペーサＳＰは、雄ねじが切られた円柱部と、雌ねじが切られた六角柱部が一体となったものである。雄ねじが切られた円柱部が、表示装置４０の後面に固定される。オスメススペーサＳＰは、六角柱部が円柱状のものでも良い。オスメススペーサＳＰは、ユーザにより取り付けられるので、手で回して固定しやすい、六角柱状が望ましい。
【００５６】
図１５は固定部の斜視図である。図１５Ａは第１固定部２０ａの斜視図である。図１５Ｂは第２固定部２０ｂの斜視図である。第１固定部２０ａは、プレート部２３ａと突出部２４ａとを含む。プレート部２３ａは、支柱部２３１ａ、上部２３２ａ、下部２３３ａ
を含む。支柱部２３１ａは上下方向に長い板状をなしている。上部２３２ａは長丸状をなしている。上部２３２ａは、長手方向が右上から左下方向に傾斜している。上部２３２ａは、支柱部２３１ａの上端で連結されている。下部２３３ａは長丸状をなしている。下部２３３ａは、長手方向が右下から左上方向に傾斜している。下部２３３ａは、支柱部２３１ａの下端で連結されている。上部２３２ａ、下部２３３ａそれぞれには、長方向に沿って複数の貫通孔２３４ａ、２３４ａ、…が設けてある。貫通孔２３４ａ、２３４ａ、…は、涙状、ひょうたん状の孔である。すなわち、貫通孔２３４ａ、２３４ａ、…は、直径の異なる２つの円形孔が結合した形状である。突出部２４ａは板状をなしている。突出部２４ａはプレート部２３ａから突出している。突出部２４ａの法線方向は、プレート部２３ａの法線方向と交差している。突出部２４ａはカギ状をなす載置部（第１固定具）２２ａを２つ有する。
【００５７】
第２固定部２０ｂは、プレート部２３ｂと突出部２４ｂとを含む。プレート部２３ｂは、支柱部２３１ｂ、上部２３２ｂ、下部２３３ｂを含む。支柱部２３１ｂは上下方向に長い板状をなしている。上部２３２ｂは長丸状をなしている。上部２３２ｂは、長手方向が右下から左上方向に傾斜している。上部２３２ｂはプレート部２３ｂの上端で連結されている。下部２３３ｂは長丸状をなしている。下部２３３ｂは、長手方向が右上から左下方向に傾斜している。下部２３３ｂは、支柱部２３１ｂの下端で連結されている。上部２３２ｂ、下部２３３ｂそれぞれには、長手方向に沿って複数の貫通孔２３４ｂ、２３４ｂ…が設けてある。貫通孔２３４ｂ、２３４ｂ、…は、涙状、ひょうたん状の孔である。すなわち、貫通孔２３４ｂ、２３４ｂ、…は、直径の異なる２つの円形孔が結合した形状である。突出部２４ｂは板状をなしている。突出部２４ｂはプレート部２３ｂから突出している。突出部２４ｂの法線方向は、プレート部２３ｂの法線方向と交差している。突出部２４ｂはカギ状をなす載置部（第１固定具）２３ｂを２つ有する。
【００５８】
次に、貫通孔２３４ａ、２３４ａ、…の上側の直径、下側の直径、オスメススペーサＳＰに外接する円の直径、オスメススペーサＳＰの雌ねじに螺合する雄ねじの軸及び軸の直径の大小について説明する。図１６は、第１固定部２０ａの部分拡大図である。図１６には、オスメススペーサＳＰ、オスメススペーサＳＰの雌ねじに螺合する雄ねじＢも示されている。図１６に示すように、貫通孔２３４ａ、２３４ａ、…の下側の直径をｒ１１、上側の直径をｒ１２とする。オスメススペーサＳＰに外接する円の直径をｒ３１とする。オスメススペーサＳＰの雌ねじに螺合する雄ねじＢのねじ頭の直径をｒ２１、ねじ軸の直径をｒ２２とする。これらの直径の大小関係は、式（１）のようにする。
【００５９】
ｒ２２＜ｒ１２＜ｒ２１＜ｒ１１＜ｒ３１  …  （１）
【００６０】
式（１）の大小関係とすると、貫通孔２３４ａの下側は、オスメススペーサＳＰの雌ねじに螺合する雄ねじＢのねじ頭が貫通可能である。貫通孔２３４ａの上側は、雄ねじＢの軸が貫通可能であるが、雄ねじＢのねじ頭、オスメススペーサＳＰは貫通できない。
貫通孔２３４ｂ、２３４ｂ、…の直径についても、貫通孔２３４ａ、２３４ａ、…同様であるので、説明を省略する。
【００６１】
図１７はアーム部１０の部分斜視図である。図１７には、アーム部１０を構成する本体１１、補助部１４、１４が示されている。本体１１は、前側が開口した断面横Ｕ字で棒状をなしている。補助部１４は前側が開口した断面Ｕ字状をなす。補助部１４は上下方向に長い形状をなす。補助部１４の上下方向の端部側面には、ねじ孔１４３が設けてある。２つの補助部１４は左右方向の所定の間隔を隔てて、アーム部１０に固定されている。補助部１４それぞれは、外側面に被載置部１４２が設けられている。
【００６２】
図１８は被載置部１４２の分解斜視図である。被載置部１４２は、スペーサ１４２ａ、ワッシャ１４２ｂ、ねじ１４２ｃ、ねじ１４２ｃに取り付けられたワッシャ１４２ｄを含む。スペーサ１４２ａは、円筒状のスペーサである。ワッシャ１４２ｄが取り付けられたねじ１４２ｃの軸にスペーサ１４２ａ、ワッシャ１４２ｂを通す。ねじ１４２ｃは、ねじ孔１４３に固定される。ワッシャ１４２ｂ、１４２ｄの外径は、スペーサ１４２ａの円筒部の外径より大きいものを選択する。
【００６３】
次に、取付部材による表示装置４０へのスピーカ３０の取り付け方法について、図１４、図１６等を参照しつつ、説明する。図１４に示すように、表示装置４０の後面に、オスメススペーサＳＰを４本固定する。上述したように、表示装置４０の後面には、ＶＥＳＡ規格にしたがったねじ孔が設けられている。当該ねじ孔の４箇所に、オスメススペーサＳＰを固定する。オスメススペーサＳＰの雌ねじには、雄ねじＢを緩く螺合しておく。緩くとは、図１６に示したように雄ねじＢが外れない程度で、オスメススペーサＳＰと雄ねじＢの頭とに、隙間が空く程度である。続いて、第１固定部２０ａの上部２３２ａに設けられた貫通孔２３４ａの下側部分と、下部２３３ａに設けられた貫通孔２３４ａの下側部分とに、右側の上下に配されたオスメススペーサＳＰそれぞれを貫通させる。その後に、貫通孔２３４ａの上側部分が、オスメススペーサＳＰと雄ねじＢの頭との間の隙間に嵌まるように、第１固定部２０ａを下側に移動させる。貫通孔２３４ａの上側部分が、オスメススペーサＳＰと雄ねじＢの頭との間の隙間に嵌ったら、オスメススペーサＳＰの雌ねじに緩く螺合している雄ねじＢを締め、第１固定部２０ａをオスメススペーサＳＰに固定する。第２固定部２０ｂも同様に、上下の貫通孔２３４ｂそれぞれに、オスメススペーサＳＰを貫通させた後に、ねじで固定する。
【００６４】
第１固定部２０ａの上部２３２ａには、３つの貫通孔２３４ａが設けられている。第１固定部２０ａの下部２３３ａには、３つの貫通孔２３４ａが設けられている。左右方向の位置が同じ貫通孔２３４ａが一組である。各組がＶＥＳＡ規格にしたがったねじ孔の設置ピッチと対応する。第２固定部２０ｂについても、同様である。第１固定部２０ａ、第２固定部２０ｂそれぞれには、三組の貫通孔２３４ａ、２３４ｂが設けられているから、ＶＥＳＡ規格の３つのピッチに対応可能である。例えば、４００×４００、３００×３００、２００×２００である。なお、寸法の単位はミリメータ（ｍｍ）である。貫通孔２３４ａ、２３４ｂを三組設けたのは一例であり、二組でも良いし、四組以上設けても良い。
【００６５】
そして、アーム部１０に固定されている補助部１４が有する被載置部１４２を、第１固定部２０ａの載置部２２ａ、第２固定部２０ｂの載置部２２ｂに載置する。右側の補助部１４の被載置部１４２は、第１固定部２０ａの載置部２２ａに載置する。左側の補助部１４の被載置部１４２は、第２固定部２０ｂの載置部２２ｂに載置する。図１９は、被載置部１４２が載置部２２ｂに載置された状態を示す部分拡大斜視図である。図１９は、左側の補助部１４が、第２固定部２０ｂに載置された状態を示している。図１９に示すように、被載置部１４２のスペーサ１４２ａが載置部２２ａに載置される。補助部１４が右方向に動いた場合であっても、被載置部１４２のワッシャ１４２ｄが、載置部２２ｂを形成されている板に当たる。また、図示しない右側の補助部１４の右側面が、第１固定部２０ａの突出部２４ａと当たる。そのため、被載置部１４２が載置部２２ｂから脱落することを防止することができる。
【００６６】
図２０はスピーカが取付けられた表示装置の後面斜視図である。
【００６７】
本実施形態は、次の効果を奏する。表示装置４０に固定されている載置部２２ａ、２２ｂに、アーム部１０が有する被載置部１４２が載置されることにより、スピーカ３０の表示装置４０への取付けが完了する。したがって、表示装置４０を動かそうとする時など、スピーカ３０を持って、表示装置４０を持ち上げようとしても、固定部２０からアーム部１０が外れる。このように、アーム部１０が表示装置４０の重量を支えることはないので、アーム部１０を含む取付部材を、軽量化することが可能となる。
【００６８】
取付部材は、アーム部１０を４組の被載置部１４２、載置部２２ａ、２２ｂにより固定するので、スピーカ３０がアーム部１０を軸として前後方向に回転してしまうことを防ぐことが可能となる。
【００６９】
第１固定部２０ａ、第２固定部２０ｂそれぞれには、表示装置４０に固定するためのオスメススペーサＳＰを通す貫通孔２３４ａ、２３４ｂを複数設けてあるので、ねじ孔ピッチが異なる複数の大きさの表示装置４０に固定可能となっている。
アーム部１０は左右方向に伸縮可能としてあるので、表示装置４０の横幅に合わせて長さを調節することが可能である。さらに、本体１１を、長さが異なるものに換えることにより、より幅広な又は幅狭な表示装置４０に対応可能となる。
【００７０】
スピーカ３０は、表示装置４０の左右に配置されるので、表示装置４０の画面中央に音像を定位することが可能となる。
【００７１】
実施形態５
本実施の形態は、スピーカ３０の前後方向位置調整機構に特徴を有する。図２１はスピーカ３０の位置調整機構を示す説明図である。アーム部１０を構成する伸縮アーム１２の一端には、取付部１３が固定されている。図２１には、左側に配置されるスピーカ３０を取り付ける取付部１３が示されている。左側の取付部１３は、右側が開口した断面横Ｕ字状をなしている。取付部１３は前後方向に長い形状としてある。取付部１３の側面には、前後方向に長い摺動孔１３ａが設けられている。摺動孔１３ａには、つまみねじ１３ｂの軸が貫通している。伸縮アーム１２の端部は、右側が開口した断面横Ｕ字状をなす図示しない連結部が設けられている。連結部に取付部１３が外嵌している。つまみねじ１３ｂは、連結部に螺合する。つまみねじ１３ｂが連結部に螺合することにより、取付部１３が伸縮アーム１２に固定される。また、つまみのねじ１３ｂを緩めると、つまみねじ１３ｂの軸部は、摺動孔１３ａを摺動する。つまみねじ１３ｂの摺動孔１３ａでの位置を変更することにより、伸縮アーム１２に対するスピーカ３０の前後方向の位置を調整可能である。なお、右側の取付部１３についても、左側の取付部１３と同様である。
【００７２】
本実施の形態では、つまみねじ１３ｂと摺動孔１３ａにより構成される摺動機構を備えることにより、表示装置４０に対しするアーム部１０の位置を変えることなく、スピーカ３０の前後方向の位置を調整可能である。摺動孔１３ａに対するつまみねじ１３ｂの位置は、無断階に調整可能であるので、スピーカ３０の前後方向の位置を細かく調整可能である。また、２つの取付部１３の位置調整は独立して行うことが可能であるので、スピーカ３０の前後位置の調整を容易に行うことができる。
【００７３】
本発明に係る取付部材は、表示装置４０の背面に固定される固定部材２０と、該固定部材２０の前記背面との固定面の交差方向に突出する第１固定具２２と、長尺状をなし、長手方向に伸縮可能な本体１１、１２及び該本体部の両端にスピーカ３０を取り付ける取付部１３を有する腕部材１０と、前記固定部材２０と対向し、前記腕部材１０に結合された中間部材１４と、該中間部材１４より前記固定部材２０との対向面の交差方向に突出し、前記第１固定具２２に載置される第２固定具１４２とを備えることを特徴とする。
【００７４】
本発明にあっては、第１固定具２２に第２固定具１４２を載置することにより、スピーカ３０を表示装置４０に取付可能としてあり、スピーカ３０を持ち上げた場合でも、表示装置４０の重量が取付部材に掛かることはない。そのため、取付部材は、スピーカ３０の重量に耐えうる強度を確保すれば良く、全体重量を軽量化することが可能となる。
【００７５】
本発明に係る取付部材は、前記第１固定具２２及び前記第２固定具１４２は、それぞれの突出方向に複数の三角状の凹凸を並設していることを特徴とする。
【００７６】
本発明にあっては、第１固定具２２及び第２固定具１４２は、それぞれの突出方向に複数の三角状の凹凸を並設しており、それぞれの凹凸が噛み合うので、第１固定具２２に載置した第２固定具１４２が位置ずれすることが抑制可能となる。
【００７７】
本発明に係る取付部材は、前記第１固定具２２は断面横Ｕ字状又は断面矩形状をなし、上部外面を前記第２固定具１４２の載置面としてあり、前記第２固定具１４２は断面横Ｕ字状又は断面矩形状をなし、上部内面を前記第１固定具２２の被載置面としてあることを特徴とする。
【００７８】
本発明にあっては、第１固定具２２及び第２固定具１４２は断面横Ｕ字状又は断面矩形状をなし、第１固定具２２の上部外面に第２固定具１４２の上部内面が接触するように、第２固定具１４２は第１固定具２２に載置される。それにより、第２固定具１４２と第１固定具２２とのガタツキを防ぐことが可能となる。
【００７９】
本発明に係る取付部材は、前記第１固定具２２は、上部から下方向に延在する一組の側部に、互いに離隔する方向に突出する係合部２２２１、２２３１を有し、前記第２固定具１４２は、上部から下方向に延在する一組の側部に、それぞれ鈎状の被係合部１４２５、１４２６を有し、前記第２固定具１４２が前記第１固定具２２と離隔する方向に移動し、前記被載置面が前記載置面より遊離した場合に、前記被係合部１４２５、１４２６は前記係合部２２２１、２２３１に係合することを特徴とする。
【００８０】
本発明にあっては、被載置面が載置面より遊離した場合に、第２固定具１４２が有する被係合部１４２５、１４２６は第１固定具２２が有する係合部２２２１、２２３１に係合するので、スピーカ３０の落下を防ぐことが可能となる。
【００８１】
本発明に係る取付部材は、前記腕部材１０を１本備えることを特徴とする。
【００８２】
本発明にあっては、腕部材１０を１本としたため、腕部材１０の長さ調整や取り回しが容易となる。また、スピーカ３０の前後方向の位置調整を、容易に行うことが可能となる。
【００８３】
本発明に係る表示装置は、映像を表示する表示部と、該表示部を収容する筐体と、上述のいずれかの取付部材により、前記筐体に取り付けられたスピーカとを備えることを特徴とする。
【００８４】
本発明にあっては、取付部材の全体重量を軽量化することが可能となる。
【００８５】
本発明に係るテレビジョン受信機は、映像を表示する表示装置４０と、上述のいずれかに記載の取付部材により、前記表示装置に取付けられたスピーカ３０と、テレビジョン放送を受信する受信部とを備え、前記受信部にて受信したテレビジョン放送に基づいて、前記表示装置４０に映像を表示するようにしてあることを特徴とする。
【００８６】
本発明にあっては、第１固定具２２に第２固定具１４２を載置することにより、スピーカ３０を表示装置４０に取付可能としてあり、スピーカ３０を持ち上げた場合でも、表示装置４０の重量が取付部材に掛かることはない。そのため、スピーカ重量に耐えうる強度を確保すれば良く、取付部材の全体重量を軽量化することが可能となる。
【００８７】
本発明に係る取付部材は、前記固定部材２０は複数の副固定部材２０ａ、２０ｂを有し、前記副固定部材２０ａ、２０ｂそれぞれには、前記表示装置４０の背面に固定されるスペーサＳＰが貫通する貫通孔２３４ａ、２３４ｂが設けられ、前記貫通孔２３４ａ、２３４ｂは、前記表示装置２０によって異なる間隔で固定される複数のスペーサＳＰに対応して、複数設けてあることを特徴とする。
【００８８】
本発明にあっては、副固定部材２０ａ、２０ｂは、表示装置４０によって異なる間隔で固定される複数のスペーサＳＰに対応する貫通孔２３４ａ、２３４ｂを複数設けてある。それにより、副固定部材２０ａ、２０ｂは複数の表示装置に固定可能となる。
【００８９】
本発明に係る取付部材は、前記取付部１３は、前記スピーカ３０の前後方向へ摺動可能に、前記腕部材に保持されることを特徴とする。
【００９０】
本発明にあっては、取付部材は腕部材１０にスピーカ３０の前後方向へ摺動可能に保持されるので、腕部材１０の位置を変えることなく、スピーカ３０の前後方向の位置が調整可能となる。
【００９１】
各実施例で記載されている技術的特徴（構成要件）はお互いに組合せ可能であり、組み合わせすることにより、新しい技術的特徴を形成することができる。
今回開示された実施形態はすべての点で例示であって、制限的なものでは無いと考えられるべきである。本発明の範囲は、上記した意味では無く、特許請求の範囲によって示され、特許請求の範囲と均等の意味及び範囲内でのすべての変更が含まれることが意図される。
【符号の説明】
【００９２】
１０      アーム部（腕部材）
１１      本体（本体）
１２      伸縮アーム（本体）
１３      取付アーム（取付部）
１４      補助部（中間部材）
１４２    被載置部（第２固定具）
１４２３  右側面部
１４２４  左側面部
１４２５  フック（被係合部）
１４２６  フック（被係合部）
２０      固定部（固定部材）
２１      支柱部
２２      載置部（第１固定具）
２２２    右側面部
２２２１  鍔部（係合部）
２２３    左側面部
２２３１  鍔部（係合部）
３０      スピーカ
４０      表示装置
２０ａ    第１固定部（副固定部材）
２２ａ    載置部（第１固定具）
２３４ａ  貫通孔
２０ｂ    第２固定部（副固定部材）
２２ｂ    載置部（第１固定具）
２３４ｂ  貫通孔
ＳＰ      オスメススペーサ（スペーサ）
【図１】
2017028702.tif 000003
【図２】
2017028702.tif 000004
【図３】
2017028702.tif 000005
【図４】
2017028702.tif 000006
【図５】
2017028702.tif 000007
【図６】
2017028702.tif 000008
【図７】
2017028702.tif 000009
【図８】
2017028702.tif 000010
【図９】
2017028702.tif 000011
【図１０】
2017028702.tif 000012
【図１１】
2017028702.tif 000013
【図１２】
2017028702.tif 000014
【図１３】
2017028702.tif 000015
【図１４】
2017028702.tif 000016
【図１５】
2017028702.tif 000017
【図１６】
2017028702.tif 000018
【図１７】
2017028702.tif 000019
【図１８】
2017028702.tif 000020
【図１９】
2017028702.tif 000021
【図２０】
2017028702.tif 000022
【図２１】
2017028702.tif 000023